【事件の表示】
　特許第２７７８１８４号「交流アーク溶接用電源」の請求項１ないし３に係る特許に対する特許異議の申立てについて、次のとおり決定する。
【結論】
　訂正を認める。
　特許第２７７８１８４号の請求項１ないし２に係る特許を維持する。
【理由】
第１　手続の経緯
　本件特許第２７７８１８４号については、平成２年２月２２日に特許出願され、平成１０年５月８日にその設定の登録がされ、その後、同１１年１月２２日に松下電器産業株式会社よりその請求項１乃至請求項３に係る特許について特許異議の申立てがされ、同１１年５月１１日付けで特許の取消しの理由の通知がされ、その指定期間内である同１１年８月３日に明細書の訂正の請求がされ、同１１年９月１０日付けで上記訂正の請求について拒絶の理由の通知がされ、その指定期間内である同１１年１１月２９日に上記訂正の請求について補正がされた。
第２　訂正の適否についての判断
　１　補正の内容及びその適否
　特許権者は、手続補正書において、訂正請求書中の訂正事項に関して以下のように補正している。
　（１）　請求項３に関して
　▲１▼全文訂正明細書中の特許請求の範囲の請求項３を削除する。
　▲２▼訂正請求書中の（３）訂正事項の▲３▼訂正事項ｃの記載を「特許請求の範囲の請求項３を削除する。」と補正する。
　▲３▼訂正請求書中の（４）請求の原因の▲３▼項の記載を全て削除する。
　（２）　訂正請求書中の第４頁第１４行に記載する「供給し」ｗ」を、ｗを削除して「供給し」」と補正する。
　上記訂正事項に関する補正（１）は、特許請求の範囲の請求項３の削除に伴うものであり、また、補正（２）は、訂正請求書の誤記の訂正であって、いずれも訂正請求書の要旨を変更するものでなく、特許法第１２０条の４第３項において準用する同法第１３１条第２項の規定に適合する。
　２　訂正の内容
　特許権者は、補正された訂正請求書において、本件特許明細書を以下のように訂正しようとするものである。
　（１）　訂正事項ａ
　特許請求の範囲の請求項１を、
　「【請求項１】直流電源の正出力端子または負出力端子に直列に出力を平滑するための直流リアクトルを有し、その出力をブリッジ接続された４個のスイッチング素子の直流入力端子に供給し、前記スイッチング素子の相対向する２個の素子を１対として同時にかつ各１対の素子を交互にＯＮ−ＯＦＦ制御して前記スイッチング素子の交流出力端子から交流出力を得る交流アーク溶接用電源において、前記スイッチング素子の交流出端増子とアーク溶接用出力端子との間に極性の切替時に数１０Ａ程度未満の小電流時には高いインダクタンス値を示し数１０Ａ程度以上の大電流時には比較的低いインダクタンス値を示す数１０Ａ程度で磁気飽和する交流リアクトルを直列に接続した交流アーク溶接用電源。」と訂正する。
　（２）　訂正事項ｂ
　特許請求の範囲の請求項２を、
　「【請求項２】正、零および負の３出力端子を有する直流電源と、前記直流電源の正出力端子および負出力端子にそれぞれ一方の端子が接続されて他端子が、共通接続されて交互にＯＮ−ＯＦＦ制御される２組のスイッチング素子とを有し、前記スイッチング素子の共通接続部と前記直流電源の零出力端子とから交流出力を得る交流アーク溶接用電源において、鉄心を共有しかつそれぞれのリアクトル巻線が流れる電流によって共有する鉄心に同一方向の磁束を誘起する極性に巻方向が定められた出力電圧のリップルを少なくする直流リアクトルを前記正出力端子と前記負出力端子とにそれぞれ直列に前記直流電源内部に接続し、かつ、前記直流電源の零出力端子または前記スイッチング素子の共通接続部のいずれかと溶接用出力端子との間に極性の切替時に数１０Ａ程度未満の小電流時には高いインダクタンス値を示し数１０Ａ程度以上の大電流時には比較的低いインダクタンス値を示す数１０Ａ程度で磁気飽和する交流リアクトルを直列に接続した交流アーク溶接用電源。」と訂正する。
　（３）　訂正事項ｃ
　特許請求の範囲の請求項３を削除する。
　３　訂正の目的の適否、新規事項の追加の有無及び拡張・変更の存否
　（１）　訂正事項ａのうち、「直流電源の正出力端子または負出力端子に直列に出力を平滑するための直流リアクトルを有し、その出力をブリッジ接続された４個のスイッチング素子の直流入力端子に供給し」は、訂正前の請求項１に記載された「直流電源の出力をブリッジ接続された４個のスイッチング素子の直流入力端子に供給し」をより下位概念に限定しようとするものである。本件特許公報に記載された請求項１に係る発明の実施例である第１図から明らかなように、上記訂正事項の「直流リアクトル」は同図のリアクトル２に相当する。このリアクトル２の説明は、本件特許公報の第４欄第２７〜２９行に「同図において１ないし８は第５図に示した実施例と同機能のものに同符号を付してある」と記戴されており、第５図の説明において本件特許公報の第３欄第１１、１２行に「２は直流電源１の出力を平滑するためのりアクトルである」と記載されている。
　また、訂正事項ａのうち、「極性の切替時に数１０Ａ程度末満の小電流時には高いインダクタンス値を示し数１０Ａ程度以上の大電流時には比較的低いインダクタンス値を示す数１０Ａ程度で磁気飽和する交流リアクトル」は、訂正前の請求項１に記載された「小電流時には高いインダクタンス値を示し大電流時には比較的低いインダクタンス値を示す交流リアクトル」をより下位概念に限定しようとするものである。上記訂正事項のうち、「極性の切替時に数１０Ａ程度未満の小電流時には高いインダクタンス値を示し数１０Ａ程度以上の大電流時には比較的低いインダクタンス値を示す」という訂正事項は、本件特許公報の第４欄第３４、３５行に「インダクタンスが急減する電流値Ｉａｏを数１０Ａ程度の低い値にしておけば」と記載されており、「数１０Ａ程度で磁気飽和する」という訂正事項は、同第５欄第４行に記載されている。
　したがって、訂正事項ａは、特許請求の範囲の減縮に相当し、且つ、願書に添付した明細書又は図面に記載した事項の範囲内の訂正であって、実質的に特許請求の範囲を拡張又は変更するものではない。
　（２）　訂正事項ｂのうち、「２組のスイッチング素子とを有し、前記スイッチング素子の共通接続部と前記直流電源の零出力端子とから交流出力を得る」は、訂正前の請求項２に記載された「２組のスイッチング素子と前記スイッチング素子の共通接続部と前記直流電源の零出力端子とから交流出力を得る」という明りようでない記戴を明りような記載に訂正しようとするものである。上記訂正事項において、「交流出力を得る」のは、「前記スイッチング素子の共通接続部と前記直流電源の零出力端子とから」であるので、この訂正事項によってその点を明りようにするものである。
　また、訂正事項ｂのうち、「交流アーク溶接用電源において、鉄心を共有しかつそれぞれのリアクトル巻線が流れる電流によって共有する鉄心に同一方向の磁束を誘起する極性に巻方向が定められた出力電圧のリップルを少なくする直流リアクトルを前記正出力端子と前記負出力端子とにそれぞれ直列に前記直流電源内部に接続し、かつ、」は、訂正前の請求項２に記載された「交流アーク溶接用電源において、」をより下位概念に限定しようとするものである。上記の訂正事項は、本件特許公報に記戴された請求項２に係る発明の実施例である第４図及び本件特許公報の第５欄第１７〜２０行に記載されており、「出力電圧のリップルを少なくする」という訂正事項は、本件特許公報第６欄第７、８行に記戴されている。
　さらに、訂正事項ｂのうち、「極性の切替時に数１０Ａ程度未満の小電流時には高いインダクタンス値を示し数１０Ａ程度以上の大電流時には比較的低いインダクタンス値を示す数１０Ａ程度で磁気飽和する交流リアクトル」は、上記（１）の訂正事項ａについてのものと同様訂正前の請求項２に記載された「小電流時には高いインダクタンス値を示し大電流時には比較的低いインダクタンス値を示す交流リアクトル」をより下位概念に限定しようとするものである。
　したがって、訂正事項ｂは、明りょうでない記載の釈明及び特許請求の範囲の減縮に相当し、且つ、願書に添付した明細書又は図面に記載した事項の範囲内の訂正であって、実質的に特許請求の範囲を拡張又は変更するものではない。
　（３）　訂正事項ｃは、特許請求の範囲の請求項３を削除するものであり、特許請求の範囲の減縮に相当する。
　４　独立特許要件の判断
　（１）　訂正発明
　訂正明細書の請求項１及び請求項２に係る発明（以下「訂正発明１」及び「訂正発明２」という。）は、それぞれ上記２の（１）及び（２）に示すとおりの「交流アーク溶接用電源」にあるものと認める。
　（２）　引用刊行物等
　これに対して、上記取消しの理由に引用した本件特許の出願前に日本国内において頒布された刊行物１（特開昭６３−２６８５７１号公報、特許異議申立人の提出した甲第１号証）、刊行物２（特開昭６４−１５２８２号公報、同甲第３号証）及び刊行物３（特開昭６３−１７１２６７号公報、同甲第４号証）並びに上記取消しの理由には引用しなかった特許異議申立人の提出した同じく本件特許の出願前に日本国内において頒布された刊行物である甲第２号証（久保亮五外３名編「岩波　理化学事典」第４版　１９８７年１０月１２日　株式会社岩波書店発行　第９１頁）には、それぞれ以下の発明乃至技術的事項が記載されていると認める。
刊行物１：
「本発明は、消耗電極から被溶接物へ供給される溶接出力の極性を、溶接中に正極性と逆極性に切換えて溶接を行う、消耗電極式アーク溶接機に関するものである。」（第２頁右上欄第１０〜１３行）
「５図において、１は直流電圧源であり、極性切換器２に電源を供給している。・・・・・・・・・（中略）・・・・・・・・・・。極性切換器２は溶接負荷へ正極性出力を供給する第１のスイッチング素子３ａ，３ｂと、溶接負荷へ逆極性負荷を供給する第２のスイッチング素子４ａ，４ｂと、これら第１のスイッチング素子３ａ，３ｂと第２のスイッチング素子４ａ，４ｂとを切換える駆動回路５とから構成され、この極性切換器２の出力には直列に直流リアクトル６と、給電チップ７と、前記溶接負荷である消耗電極８および被溶接物９とが接続されている。」（第２頁左下欄第１〜１２行）
　直流電圧源１が、ブリッジ接続された相対向する２つの第１のスイッチング素子３ａ，３ｂと同じく相対向する第２のスイッチング素子４ａ，４ｂを有する極性切換器２の入力側に接続され、各スイッチング素子を駆動回路５で制御し、極性切換器２の出力側とアーク溶接用の給電チップ７の間に直流リアクトル６が直列に接続されていること。（第５図）
刊行物２：
「変圧器１５の２次巻線は中間タップを有し、中間タップに対する両側の２次巻線１５ｂおよび１５ｃにより構成される。２次巻線１５ｂおよび１５ｃの両端には、中間タップに対して正、負の電位が印加され、１次巻線１５ａの高周波電圧に同期して交互に反転する。２次巻線１５ｂおよび１５ｃの両端にはダイオード１７ａと１７ｂおよび１８ａと１８ｂよりなる第２の整流回路１７および１８が接続されている。・・・・・・・・・・・・・・・・。２次巻線の中間タップにはリアクトル１９の一方の端子が接続され、・・・・・・・・・・・・・・・・平滑用リアクトル２２の一方の端子は前記リアクトル１９、コンデンサ２０および２１の接続点に接続され、リアクトル２２の他方の端子は電極２３に接続される。第２の整流回路１７および１８の出力は、１対のトランジスタ２４ａおよび２４ｂと各トランジスタ両端に接続されたフリーホイルダイオード２４ｃおよび２４ｄより構成される低周波変換回路２４に接続され、正極性側の開閉を行なうトランジスタ２４ａの工ミッ夕と逆極性側の開閉を行なうトランジスタ２４ｂのコレクタは母材２５に接続される。トランジスタ２４ａおよび２４ｂは低周波変換制御回路２６により任意の時間交互にＯＮ−ＯＦＦされ、トランジスタ２４ａがＯＮの場合、母材２５が陽極（正の電位）、電極２８が陰極（負の電位）の正極性で、またトランジスタ２４ｂがＯＮの場合、電極２８が陽極（正の電位）、母材２５が陰極（負の電位）の逆極性で交流出力が得られる。」（第３頁右下欄第４行〜第４頁左上欄第１７行）
　中間タップを有する変圧器１５の２次側に第２の整流回路１７および１８を設け、正の電位を出力する第２の整流回路１７がトランジスタ２４ａのコレクタに接続され、負の電位を出力する整流回路１８がトランジスタ２４ｂのエミッタに接続され、トランジスタ２４ａのエミッタとトランジスタ２４ｂのコレクタが共通接続されて母材２５に接続され、変圧器１５の中間タップと電極２３の間にリアクトル１９、リアクトル２２を直列に接続すること。（第１図）
刊行物３：
「特にアーク電圧が正極性から逆極性に転極する時に再点弧用電圧を十分に高めて負荷に印加することが出来」（第２頁右上欄第２０行〜第２頁左下欄第２行）
「第１の平滑リアクトルの誘起電圧の極性は負荷に対する方向であるから、第２の平滑リアクトルに誘起する電圧の極性は電源に対する方向となる。したがってこの第２の平滑リアクトルの誘起電圧は極性の変化する移行時において、負荷に印加される。結局、アークの再点弧を行うための印加電圧が高められ、この高い電圧によってアークの失弧を防止することができる。この動作は、第２の平滑リアクトルの出力から第１の平滑リアクトルの出力への切り換え動作時（負極から正極への転極時）にも同様に行われる。」（第２頁右下欄第１９行〜第３頁左上欄第１０行）
「変圧器４の二次出力は整流平滑され、後述する開閉回路７によって選択的に溶接電極を８と母材に導かれる。前記二次巻線の両端子にはダイオード３１，３２，３３，３４で構成される整流回路５が接続されている。整流回路５では、ダイオード３０，３１，３２の整流出力が中間タップに対して正極になり、ダイオード３４，３５の整流出力が中間タップに対して負極になる。この正の整流出力が平滑リアクトル６ａに導かれ、負の整流出力が平滑リアクトル６ｂに導かれている。
　平滑リアクトル６ａ，６ｂは、同一コアに巻かれており、その巻線方向を平滑リアクトル６ａ，６ｂにそれぞれに生ずる誘起電圧が負荷を基準に相互に逆方向になるよう設定している。」（第３頁右上欄第１３行〜同頁左下欄第７行）
　整流回路５の正の整流出力側に平滑リアクトル６ａを直列に接続し、負の整流出力側に平滑リアクトル６ｂを直列に接続し、平滑リアクトル６ａの巻線の巻き方向と平滑リアクトル６ｂの巻線の巻き方向が、流れる電流に対して共通のコアに発生する磁束が同一方向になること。（第１図）
甲第２号証：
「単位はヘンリー（Ｈ）。回路の電流をＩ，誘導起電圧（電圧）をＥとすれば，自己インダクタンスＬはＬ＝−Ｅ／（ｄＩ／ｄｔ）で定義される。」（第９１頁右欄第９行〜同欄第３６行）
　（３）　対比・判断
　訂正発明１と刊行物１乃至刊行物３及び甲第２号証記載の発明乃至技術的事項とを対比すると、各刊行物記載の発明乃至技術的事項は、部分的に訂正発明１と共通する構成を備えているものの、いずれも訂正発明１の「出力を平滑するための直流リアクトル」と「極性の切替時に数１０Ａ程度末満の小電流時には高いインダクタンス値を示し数１０Ａ程度以上の大電流時には比較的低いインダクタンス値を示す数１０Ａ程度で磁気飽和する交流リアクトル」とを併有するという構成を備えていない。
　また、訂正発明２と刊行物１乃至刊行物３及び甲第２号証記載の発明乃至技術的事項とを対比すると、各刊行物記載の発明乃至技術的事項は、部分的に訂正発明２と共通する構成を備えているものの、いずれも訂正発明２の「鉄心を共有しかつそれぞれのリアクトル巻線が流れる電流によって共有する鉄心に同一方向の磁束を誘起する極性に巻方向が定められた出力電圧のリップルを少なくする直流リアクトル」と「極性の切替時に数１０Ａ程度末満の小電流時には高いインダクタンス値を示し数１０Ａ程度以上の大電流時には比較的低いインダクタンス値を示す数１０Ａ程度で磁気飽和する交流リアクトル」とを併有するという構成を備えていない。
　そして、訂正発明１及び訂正発明２は、それぞれ上記構成を備えることによって訂正明細書記載の「極性の切替に際して、アークの再生を安全かつ確実に行うことができるものであり、かつ、アークの再生時の電流の立上りがゆるやかになるので、アーク音の発生が少なくなり、作業環境の改善ができるものである。」という効果を奏するものである。
　したがって、訂正発明１及び訂正発明２は、いずれも刊行物１乃至刊行物３及び甲第２号証記載の発明乃至技術的事項に基づいて当業者が容易に発明をすることができたとすることはできず、それぞれ特許出願の際独立して特許を受けることができるものである。
　５　むすび
　以上のとおりであるから、上記訂正請求は、特許法第１２０条の４第２項及び同条第３項において準用する同法第１２６条第２項から第４項の規定に適合するので当該訂正を認める。
第３　特許異議の申立てについての判断
　１　特許異議申立ての理由の概要
　特許異議申立人松下電器産業株式会社は、上記甲第１号証乃至甲第４号証を提出し、本件の請求項１及び請求項２に係る発明は、甲第１号証又は甲第３号証記載の発明と同一であり、また、本件の請求項３に係る発明は、甲第３号証及び甲第４号証記載の発明に基づいて、当業者が容易に発明をすることができたものであるから、本件の請求項１乃至請求項３に係る特許は、特許法第２９条の規定に違反して特許されたものであり、取り消されるべきものである旨主張している。
　２　特許異議申立人の主張の検討
　上記第２の５で述べたように本件は明細書の請求が認められており、本件の請求項１及び請求項２に係る発明は、上記第２の４（３）に示す理由により、甲第１号証乃至甲第４号証記載の発明と同一とすることができないだけでなく、それらに基づいて当業者が容易に発明をすることができたとすることはできない。
　また、請求項３に係る発明は、訂正の結果削除されている。
　３　むすび
　以上のとおりであるから、特許異議申立人の主張する特許異議申立ての理由及び提出した証拠によっては、本件の請求項１及び請求項２に係る特許を取り消すことはできない。
　また、他に本件の請求項１及び請求項２に係る特許を取り消すべき理由を発見しない。
　よって、結論のとおり決定する。
【異議決定日】
平成１１年１２月１６日（１９９９．１２．１６）
【訂正の要旨】
訂正の要旨
　特許第２７７８１８４号の明細書を、本件に係る訂正請求書に添付された明細書のとおり、すなわち、次の訂正事項ａ乃至訂正事項ｃのとおりに訂正する。
（１）　訂正事項ａ
　特許請求の範囲の請求項１を、
　「【請求項１】直流電源の正出力端子または負出力端子に直列に出力を平滑するための直流リアクトルを有し、その出力をブリッジ接続された４個のスイッチング素子の直流入力端子に供給し、前記スイッチング素子の相対向する２個の素子を１対として同時にかつ各１対の素子を交互にＯＮ−ＯＦＦ制御して前記スイッチング素子の交流出力端子から交流出力を得る交流アーク溶接用電源において、前記スイッチング素子の交流出端増子とアーク溶接用出力端子との間に極性の切替時に数１０Ａ程度未満の小電流時には高いインダクタンス値を示し数１０Ａ程度以上の大電流時には比較的低いインダクタンス値を示す数１０Ａ程度で磁気飽和する交流リアクトルを直列に接続した交流アーク溶接用電源。」と訂正する。
（２）　訂正事項ｂ
　特許請求の範囲の請求項２を、
　「【請求項２】正、零および負の３出力端子を有する直流電源と、　前記直流電源の正出力端子および負出力端子にそれぞれ一方の端子が接続されて他端子が、共通接続されて交互にＯＮ−ＯＦＦ制御される２組のスイッチング素子とを有し、前記スイッチング素子の共通接続部と前記直流電源の零出力端子とから交流出力を得る交流アーク溶接用電源において、鉄心を共有しかつそれぞれのリアクトル巻線が流れる電流によって共有する鉄心に同一方向の磁束を誘起する極性に巻方向が定められた出力電圧のリップルを少なくする直流リアクトルを前記正出力端子と前記負出力端子とにそれぞれ直列に前記直流電源内部に接続し、かつ、前記直流電源の零出力端子または前記スイッチング素子の共通接続部のいずれかと溶接用出力端子との間に極性の切替時に数１０Ａ程度未満の小電流時には高いインダクタンス値を示し数１０Ａ程度以上の大電流時には比較的低いインダクタンス値を示す数１０Ａ程度で磁気飽和する交流リアクトルを直列に接続した交流アーク溶接用電源。」と訂正する。
（３）　訂正事項ｃ
　特許請求の範囲の請求項３を削除する。
（５４）【発明の名称】
交流アーク溶接用電源
（５７）【特許請求の範囲】
　【請求項１】直流電源の
正出力端子または負出力端子に直列に出力を平滑するための直流リアクトルを有し、その
極性の切替時に数１０Ａ程度未満の
数１０Ａ程度以上の
数１０Ａ程度で磁気飽和する
　【請求項２】正、零および負の３出力端子を有する直流電源と、前記直流電源の正出力端子および負出力端子にそれぞれ一方の端子が接続されて他端子が、共通接続されて交互にＯＮ−ＯＦＦ制御される２組のスイッチング素子と
を有し、
鉄心を共有しかつそれぞれのリアクトル巻線が流れる電流によって共有する鉄心に同一方向の磁束を誘起する極性に巻方向が定められた出力電圧のリップルを少なくする直流リアクトルを前記正出力端子と前記負出力端子とにそれぞれ直列に前記直流電源内部に接続し、かつ、
極性の切替時に数１０Ａ程度未満の
数１０Ａ程度以上の
数１０Ａ程度で磁気飽和する
【発明の詳細な説明】
＜産業上の利用分野＞
　本発明は、アーク溶接電源の改良に関するものであり、特に正，逆両極性を交互に切替えて溶接部に電力を供給するアーク溶接用電源に関するものである。
＜従来の技術＞
　アーク溶接に用いる電源として電極側を負電位とする正極性および電極側を正電位とする逆極性の両極性を切替える方式のものが直流電源と極性切替用スイッチング素子との組合せによって得るものとして提案されている。（例えば特開昭６０−１８２７５号公報）。第５図はこの種の従来装置の例を示す接続図である。同図において１は公知の直流電源であり、２は直流電源１の＊１出力を平滑するためのリアクトルである。３ａないし３ｄはブリッジ接続されたスイッチング素子、４ａないし４ｄはスイッチング素子３ａないし３ｄにそれぞれ逆並列に接続されたダイオードである。また、５は電極、６は被溶接物、７はスイッチング素子３ａないし３ｄを駆動するためのスイッチング素子駆動回路である。８は直流電源１の出力を平滑するとともに回路に発生するサージ電圧を吸収するための比較的大容量のコンデンサである。第６図は第５図の従来装置の動作を説明するための線図でありスイッチング素子駆動回路６の出力信号ｓ１，ｓ２と出力電圧Ｅｏとの関係を時間の経過とともに示してある。第５図においてスイッチング素子駆動回路６から駆動信号ｓ１，ｓ２が交互に出力されると、スイッチング素子３ａと３ｂとが同時にまたはスイッチング素子３ｃと３ｄとが同時に導通・遮断をくりかえし、電極４と被溶接物５との間に直流電源１の出力電圧が正・逆に切替えられた矩形波状の電圧が供給される。
＜発明が解決しようとする問題点＞
　上記従来装置において、駆動信号ｓ１が供給されている状態からこれが消滅し、駆動信号ｓ２が供給されて電流が正極性から逆極性に切替わるときの動作を例に説明する。信号ｓ１の消滅によってスイッチング素子３ｃ，３ｄがＯＮからＯＦＦになると直流電源１からの電力の供給は遮断されるが、出力回路のケーブル等に含まれるインダクタンスのために被溶接物６から電極５に向う方向の電流（正極性電流）は直ちに零にはなり得ず、ダイオード４ｂ，４ａを通して流れ続け、この電流によってコンデンサ８が充電される。このコンデンサ８を充電するエネルギーはケーブル等のインダクタンスに正極性期間中に蓄えられていた電磁エネルギーであり、この充電電圧は直流電源１の出力電圧よりも高くなって、次に信号ｓ２が供給されてスイッチング素子３ａ，３ｃが導通したときに電極５と被溶接物６との間に印加されて逆極性アークの点弧（溶接アークの再点弧）に役立つものである。
　それ故、極性切替時に発生するこのコンデンサの充電電圧、アークの再点弧に十分な値であると同時にスイッチング素子３ａないし３ｄの耐圧以下であることが必要となる。しかるにこの電圧Ｖはケーブル等の出力回路のインダクタンスＬｃと溶接電流Ｉａとによって定まり、コンデンサ８の容量をｃとすれば、
となる。このため大電流でかつケーブルを長くして、即ちインダクタンスＬｃが大なるときを想定して発生する充電電圧がスイッチング素子の耐圧を超えないように大きな容量のコンデンサを採用すると、溶接電流が小さいときや短かいケーブルを使用するときには充電電圧が不足してアークの再点弧に失敗することになる。逆に小電流または短かいケーブルを使用するものとして小容量のコンデンサを採用すると大電流時や長いケーブルを使用するときに充電電圧が過大となってスイッチング素子が破壊されてしまうことになる。
　さらに極性の切替時に電流の変化が急激であると大きなアーク音が発生し、作業環境を悪化させることになる。
＜問題点を解決するための手段＞
　本発明は、直流電源の出力をスイッチング素子によって切替えて交流出力を得る交流アーク溶接用電源において、交流出力回路に直列に、小電流時には大なるインダクタンス値を示し、大電流時には比較的小なるインダクタンス値を示す交流リアクトルを接続して、使用する電流値の大小やケーブルの長短にかかわらず極性の切替時にアークの再点弧に必要かつ十分な電圧がコンデンサに充電されるようにしたものである。
＜実施例＞
　第１図に本発明の実施例を示す。同図において１ないし８は第５図に示した実施例と同機能のものに同符号を付してある。９は交流リアクトルであり本発明の要部をなすものである。第２図に本発明に用いる交流リアクトルの特性の例を示す。同図において、横軸は交流リアクトルに流れる溶接電流Ｉａを示し、縦軸はこの電流に対するインダクタンス値Ｌａの変化の様子を示している。同図においてインダクタンスが急減する電流値Ｉａｏを数１０Ａ程度の低い値にしておけば、極性の切替時において電流が小さい期間のみ交流リアクトルが有効となる。したがって、第３図に溶接電流Ｉａの変化を示すように極性の切替の前後において、この交流リアクトルのインダクタンス値が急変する数１０Ａ以下の範囲でスロープ状に変化する電流波形となる。この場合、コンデンサ８を大電流でかつ長いケーブルを用いるときに必要な比較的大きな容量としておけば、大電流時には交流リアクトル９のインダクタンスはほとんど効果を示さずケーブルのインダクタンスによって発生する電圧がほとんどであり、この電圧は大きな容量のコンデンサ８によってアークの再点弧に必要な値程度に抑制されて、スイッチング素子が破壊されることがない。逆に小電流にて溶接が行なわれるときには交流リアクトル９が比較的大きなインダクタンス値を示して、これによってアークの再生に十分な電圧が誘起されてコンデンサ８に充電される。また、いずれの場合にも極性の切替に際して溶接電流の立上りがゆるやかになるのでアーク音の発生が減少する。
　第２図のような特性の交流リアクトルは、鉄心の断面積を小さくして、数１０Ａ程度で磁気飽和するように設定することによって容易に得ることができる。特に鉄心の材料として矩形状の磁化特性を有する方向性硅素鋼板を用いれば一層明確なインダクタンスの変化が得られる。
　第４図は、本発明の別の実施例を示す接続図である。同図において直流電源１は交流電源１０１を整流回路１０２にて直流に変換し、この直流をスイッチングトランジスタからなるインバータ１０３によって再度交流に変換し、得られた交流出力を２次巻線にセンタータップを有する変圧器１０４にてアーク溶接に適した電圧に変換した後に整流器１０５ａと１０５ｂとによって正、負両極性の直流にした後にリアクトル１０６ａ、１０６ｂおよびコンデンサ１０７ａ、１０７ｂによって平滑して出力端子ａ、ｂ、ｃに正、負および零の直流出力を得るものである。ここで、リアクトル１０６ａと１０６ｂは図示のように鉄心を共有し、かつそれぞれに流れる電流によって共有する鉄心に同方向の磁束が発生する極性に巻方向が定められているものを用いる。また、この直流電源の正出力端子（ａ）はスイッチング素子４ａに、負出力端子はスイッチング素子４ｂに接続されており、各スイッチング素子４ａ、４ｂの他方の端子は共通接続されて、一方の交流出力端子となり電極５に接続されている。直流電源１の零出力端子Ｃは、第１図の実施例と同様の特性の交流リアクトル９を介して他方の交流出力端子となり、被溶接物６に接続されている。
　第４図の実施例においては２個のスイッチング素子４ａ、４ｂを交互にＯＮ−ＯＦＦ制御することによって交流出力が得られ、かつこの交流出力電流は交流リアクトル９の働きによって極性の切替の前後において、低電流期間のみスロープ状に変化する第３図と同様の波形となる。また、交流リアクトル９の特性を先の第１図に示した実施例と同様に第２園のような電流−インダクタンス特性のものを用いることによって、大電流時でも小電流時でも必要なアークの再点弧のための電圧が安全確実に得られるものである。
　なお、第４図において用いる直流電源１１においては＊２直流リアクトル１０６ａ、１０６ｂの働きによって整流器１０５ａ、１０５ｂに流れる電流が略矩形波状となるので、出力電圧のリップルが少ない良質の直流電圧が得られるものである。
　また、インバータ回路１０３の動作周波数を商用周波数にくらべて十分高い値に設定しておくと、平滑用リアクトルを極めて小形のものにすることができる。
＜発明の効果＞
　本発明は、上記の通りであるので極性の切替に際して、アークの再生を安全かつ確実に行うことができるものであり、かつ、アークの再生時の電流の立上りがゆるやかになるので、アーク音の発生が少なくなり、作業環境の改善ができるものである。
【図面の簡単な説明】
　第１図は本発明の実施例を示す接続図、第２図は本発明に用いる交流リアクトルの特性を説明するための線図、第３図は本発明の電源によって得られる溶接電流の波形図、第４図は本発明の別の実施例を示す接続図、第５図は従来の装置の例を示す接続図、第６図は第５図の従来装置によって得られる溶接電流の波形図である。
１……直流電源、２……直流リアクトル、
３ａ〜３ｂ……スイッチング素子、
４ａ〜４ｂ……ダイオード、５……電極、６……被溶接物、
８……コンデンサ、９……交流リアクトル、
１０２……整流回路、１０３……インバータ、
１０４……変圧器、１０５ａ，１０５ｂ……整流器、
１０６ａ，１０６ｂ……直流リアクトル、
１０７ａ，１０７ｂ……コンデンサ、